(57)【特許請求の範囲】
【請求項１】
底部に落とし口が設けられた米収納室を有するキャビネットと、上記落とし口を通して落ちる米が一定量入る計量空間を有し該落とし口を開閉する落とし口開閉手段と計量空間内の米を投下する投下口を開閉する手段とを有した計量部と、この計量部を操作する計量部操作手段と、前記計量部操作手段に着脱自在に装着して前記計量空間に入る米の量を減らす計量アジャスターとを備え、
前記計量部操作手段は、被操作部がキャビネットのレバー突出口を通して外側へ突出すると共に初期位置に来ているときは前記落とし口開閉手段が落とし口を全開にし取出し時操作方向へ倒されたときは前記投下口が開くように前記計量部と連動する取出しレバーと該取出しレバーを初期位置へ向けて付勢するバネとを備えており、
前記計量アジャスターは上記取出しレバーの被操作部又はレバー突出口に着脱自在に装着されると共にスペーサー部を有していて、該計量アジャスターを装着した状態では、そのスペーサー部がレバー突出口の縁と取出しレバーとの間に挟まって、前記落とし口開閉手段の落とし口開放方向への戻りが落とし口を一部開き残した位置で阻止され、それにより前記計量空間に入る米の量が減ることを特徴とする計量米びつ。
【請求項２】
請求項１に記載した計量米びつにおいて、計量部は、開口を前記落とし口に向けることで該落とし口を全開状態にした計量位置とその開口をほぼ下方へ向けた投下位置との間を移動される計量マスで構成したことを特徴とする計量米びつ。
【請求項３】
底部に落とし口が設けられた米収納室を有するキャビネットと、上記落とし口を通して落ちる米が一定量入る計量空間を有し、支持軸によって回転自在に支持され、開口を前記落とし口に向けることで該落とし口を全開状態にした計量位置とその開口をほぼ下方へ向けた投下位置との間を回転移動される回転計量マスと、
この回転計量マスを操作する計量部操作手段と、前記キャビネットの落とし口と前記回転計量マスの開口を通して前記計量空間内に差し込まれ前記支持軸に係合した状態で回転計量マス内の計量空間内に収まると共に、前記落とし口と前記開口を通して摘み出されることにより、前記回転計量マスの計量空間内に着脱自在に装着し、装着した状態では、前記計量空間に入る米の量を減らす計量アジャスターとを備えたことを特徴とする計量米びつ。
【請求項４】
請求項３に記載した計量米びつにおいて、
計量アジャスターは、主部と前記主部から突出した２つの取付腕とを有し、キャビネットの落とし口と回転計量マスの開口を通して差し込まれてその取付腕が前記支持軸に係合した状態で前記回転計量マスの計量空間内に収まることを特徴とする計量米びつ。
【請求項５】
請求項４に記載した計量米びつにおいて、計量アジャスターの取付腕は支持軸に回転自在に係合するよう形成され、主部には突条が設けられており、装着した状態では、前記計量アジャスターの取付腕が前記支持軸に係合しながら前記支持軸を中心として回転して、その主部が前記計量マスの周壁に内側から重なり、前記突条が前記周壁の内周面によって相対的に押圧されて前記周壁に圧着することを特徴とする計量米びつ。
【請求項６】
請求項５に記載した計量米びつにおいて、計量アジャスターの取付腕はくの字状に屈曲しており、屈曲部辺りで支持軸と係合することを特徴とする計量米びつ。
【請求項７】
請求項４から６のいずれかに記載した計量米びつにおいて、計量アジャスターの２つの取付腕には支持軸に係合させるための切欠がそれぞれ形成されていることを特徴とする計量米びつ。
【請求項８】
請求項４から７のいずれかに記載した計量米びつにおいて、計量アジャスターの主部には指掛け孔が形成されていることを特徴とする計量米びつ。
【請求項９】
底部に落とし口が設けられた米収納室を有するキャビネットと、上記落とし口を通して落ちる米が一定量入る計量空間と該落とし口を開閉する落とし口開閉手段と計量空間内の米を投下する投下口を開閉する手段とを有した計量部と、被操作部がキャビネットのレバー突出口を通して外側へ突出すると共に初期位置に来ているときは前記落とし口開閉手段が落とし口を全開にし取出し時操作方向へ倒されたときは前記投下口が開くように計量部と連動する取出しレバーと、該取出しレバーを初期位置へ向けて付勢するバネとを備えた計量米びつ用の計量アジャスターであって、前記取出しレバーの被操作部又はレバー突出口に着脱自在に装着されると共にスペーサー部を有しており、装着された状態では、そのスペーサー部が当該被操作部とレバー突出口の縁との間に挟まって前記落とし口開閉手段の落とし口開放方向への戻りが落とし口を一部開き残した位置で阻止され、それにより計量空間に入る米の量が減ることを特徴とする計量米びつ用計量アジャスター。
【請求項１０】
底部に落とし口が設けられた米収納室を有するキャビネットと、上記落とし口を通して落ちる米が一定量入る計量空間を有し、支持軸によって回転自在に支持され、開口を前記落とし口に向けることで該落とし口を全開状態にした計量位置とその開口をほぼ下方へ向けた投下位置との間を回転移動される回転計量マスと、
この回転計量マスを操作する計量部操作手段とを備えた計量米びつ用の計量アジャスターであって、
一体に形成された構造体であり、前記キャビネットの落とし口と前記回転計量マスの開口を通して前記計量空間内に差し込まれ前記支持軸に係合した状態で回転計量マス内の計量空間内に収まると共に、前記落とし口と前記開口を通して摘み出されることにより、前記回転計量マスの計量空間内に着脱自在に装着し、装着した状態では、前記計量空間に入る米の量を減らすことを特徴とする計量アジャスター。
【請求項１１】
請求項１０に記載した計量アジャスターにおいて、主部と前記主部から突出した２つの取付腕とを有し、キャビネットの落とし口と回転計量マスの開口を通して差し込まれてその取付腕が前記支持軸に係合した状態で前記回転計量マスの計量空間内に収まることを特徴とする計量アジャスター。
【請求項１２】
請求項１１に記載した計量アジャスターにおいて、取付腕は支持軸に回転自在に係合するよう形成され、主部には突条が設けられており、装着した状態では、取付腕が前記支持軸に係合しながら前記支持軸を中心として回転して、その主部が前記計量マスの周壁に内側から重なり、前記突条が前記周壁の内周面によって相対的に押圧されて前記周壁に圧着することを特徴とする計量アジャスター。
【請求項１３】
請求項１２に記載した計量アジャスターにおいて、取付腕はくの字状に屈曲しており、屈曲部辺りで支持軸と係合することを特徴とする計量アジャスター。
【請求項１４】
請求項１１から１３のいずれかに記載した計量アジャスターにおいて、２つの取付腕には支持軸に係合させるための切欠がそれぞれ形成されていることを特徴とする計量アジャスター。
【請求項１５】
請求項１１から１４のいずれかに記載した計量アジャスターにおいて、主部には指掛け孔が形成されていることを特徴とする計量アジャスター。
【発明の詳細な説明】
【０００１】
【発明の属する技術分野】
本発明は、計量米びつと、計量米びつ用計量アジャスターに関する。詳しくは、米収納室に収納された米を一定量づつ計量する計量部と、この計量部を操作する操作手段とを備えた計量米びつと、上記計量部による計量の量目を変更するための計量アジャスターに関するものである。
【０００２】
【従来の技術】
今日の計量米びつにおける計量方式には様々あるが、基本的には、米収納室の底部に設けられた落とし口を通して落ちてくる米を一定量受ける計量空間、例えば計量マスと、上記落とし口や計量空間の投下口を開閉する手段などを含む計量部と、この計量部と連動した取出しレバー等の操作手段とを備えていて、操作手段を操作しない状態では落とし口が開放されていて計量空間での計量が行われ、操作手段を押したとき計量空間内の米だけが投下されるように構成されている。
【０００３】
この計量空間（計量マスなど）の量目は、通常、１合（約１８０ｃｃ）に設定されており、炊飯器の水量目盛りも米の１合分に対応した単位で表示されているので、炊飯の水加減は、計量した米の量に応じた目盛りを読んで行えば最適な水量になる。
【０００４】
【発明が解決しようとする課題】
近時市販されている米の中には、従来の白米から糠を取り除いた状態の所謂無洗米がある。この無洗米は、糠が取り除かれている分、同じ容積の計量空間であっても、重量としては従来の白米より５％程度多く入るため、これを炊く場合の米と水の適切な比率は、通常の白米に較べて、水を５％程度増やす必要がある。そのためには、米の量は計量米びつで計った通りの量にして、水量を炊飯器の目盛りより多少多目にするか、叉は、水量を炊飯器の目盛りに合わせる代わりに米の量を計量米びつで計った量より５％程度減らすといった調整が必要になる。当然、この調整をしないと、米の量に対して水量が不足するため、硬めの米が炊かれてしまう。
【０００５】
しかしながら、このような調整を正確に行うためには、米でも水でも、計量カップなどを用いて５％増量叉は５％減量をきちんと計らなければならないし、それが面倒である場合は、大まかな見当で済ませてしまう以外に方法は無い。
これらのいずれにしても、結局、計量米びつの最大の利点である正確な計量という本来の機能を十分活用できないことになってしまう。
【０００６】
この問題に対しては、例えば、計量米びつの計量部にその計量空間の容量を調節する量目調整機能を持たせたり、炊飯器の水量目盛りに無洗米用の目盛りを付加すること等が考えられるが、前者は、計量部の構造が極めて複雑になって米びつのコストが高騰してしまうし、既存の計量米びつを持っている者は、米びつを買い換えなければならないため、現実的な解決にはならない。また、後者の場合でも、既存の炊飯器を買い換えなければならないし、水量目盛りの種類が増える分、扱いに戸惑いが生じる虞れがある。
【０００７】
本発明は上記した問題点に鑑みて為されたものであり、計量部や取出しレバー等の構造は何ら変更しなくても、計量部の計量空間に入る米の量を選択的に変更することができて、米の種類に応じた適切な計量を行わせることができる画期的な計量米びつを提供することを目的とする。
また、本発明は、従来の白米に対応した計量を行うように構成されている既存の計量米びつに装着するだけで、当該計量部の計量空間に入る米の量を選択的に変更することができて米の種類に応じた適切な計量を行わせることができる計量米びつ用計量アジャスターを提供することを目的とする。
【０００８】
【課題を解決するための手段】
この目的を達成するために、本発明の計量米びつは、底部に落とし口が設けられた米収納室を有するキャビネットと、上記落とし口を通して落ちる米が一定量入る計量空間を有し該落とし口を開閉する落とし口開閉手段と計量空間内の米を投下する投下口を開閉する手段とを有した計量部と、この計量部を操作する計量部操作手段と、これら計量部又は計量部操作手段等に着脱自在に装着して前記計量空間に入る米の量を減らす計量アジャスターとを備えたことを特徴とするものである。
【０００９】
従って、本発明によれば、白米などの通常米を収納してある場合は、計量アジャスターを装着しないで使用することにより当該計量空間の目量通りの計量を行い、無洗米など嵩（かさ）量は同じでも重量が通常米より多くなる種類の米を収納してある場合は、計量アジャスターを装着することで、計量部での有効量目を当該計量アジャスターに応じた分少なくして計量を行う、という選択的な使用が可能になるので、米びつで計量して取り出した米を更に計量カップで加減するといった処理をしなくても、白米１合当りの水加減をそのまま無洗米１合当りの水加減とすることができる。
【００１０】
しかも、本発明における計量アジャスターは、米びつ本体にある計量部又は計量部操作手段等に着脱自在に装着する構造であるから、計量米びつの本体構造については特別の処置を加えなくても、また、従来の白米に対応した計量を行うように構成されている既存の計量米びつについても、当該米びつの計量部による有効量目を選択的に設定することができて、米の種類に応じた適切な計量を行わせることができる。
【００１１】
本発明における計量アジャスターの形態は、計量部又は計量部操作手段或いはキャビネット等を改造したり分解したりせずに着脱自在に装着することができるものであり、請求項１や請求項９の発明のように計量部操作手段を利用して装着する形態にすれば、計量アジャスターの着脱を誰でも容易に行うことができる。
【００１２】
すなわち、請求項１に記載した計量米びつは、底部に落とし口が設けられた米収納室を有するキャビネットと、上記落とし口を通して落ちる米が一定量入る計量空間を有し該落とし口を開閉する落とし口開閉手段と計量空間内の米を投下する投下口を開閉する手段とを有した計量部と、この計量部を操作する計量部操作手段と、前記計量部操作手段に着脱自在に装着して前記計量空間に入る米の量を減らす計量アジャスターとを備え、前記計量部操作手段は、被操作部がキャビネットのレバー突出口を通して外側へ突出すると共に初期位置に来ているときは前記落とし口開閉手段が落とし口を全開にし取出し時操作方向へ倒されたときは前記投下口が開くように前記計量部と連動する取出しレバーと該取出しレバーを初期位置へ向けて付勢するバネとを備えており、前記計量アジャスターは上記取出しレバーの被操作部又はレバー突出口に着脱自在に装着されると共にスペーサー部を有していて、該計量アジャスターを装着した状態では、そのスペーサー部がレバー突出口の縁と取出しレバーとの間に挟まって、前記落とし口開閉手段の落とし口開放方向への戻りが落とし口を一部開き残した位置で阻止され、それにより前記計量空間に入る米の量が減ることを特徴とするものである。
請求項２に記載した計量米びつは、請求項１に記載した計量米びつにおいて、計量部は、開口を前記落とし口に向けることで該落とし口を全開状態にした計量位置とその開口をほぼ下方へ向けた投下位置との間を移動される計量マスで構成したことを特徴とするものである。
【００１３】
請求項９に記載した計量米びつ用計量アジャスターは、底部に落とし口が設けられた米収納室を有するキャビネットと、上記落とし口を通して落ちる米が一定量入る計量空間と該落とし口を開閉する落とし口開閉手段と計量空間内の米を投下する投下口を開閉する手段とを有した計量部と、被操作部がキャビネットのレバー突出口を通して外側へ突出すると共に初期位置に来ているときは前記落とし口開閉手段が落とし口を全開にし取出し時操作方向へ倒されたときは前記投下口が開くように計量部と連動する取出しレバーと、該取出しレバーを初期位置へ向けて付勢するバネとを備えた計量米びつ用の計量アジャスターであって、前記取出しレバーの被操作部又はレバー突出口に着脱自在に装着されると共にスペーサー部を有しており、装着された状態では、そのスペーサー部が当該被操作部とレバー突出口の縁との間に挟まって前記落とし口開閉手段の落とし口開放方向への戻りが落とし口を一部開き残した位置で阻止され、それにより計量空間に入る米の量が減ることを特徴とするものである。
【００１４】
請求項１の計量米びつ、叉は、請求項９の計量米びつ用計量アジャスターにあっては、計量アジャスターを取出しレバー又はレバー突出口に装着していない状態では、該取出しレバーが本来の初期位置まで戻ることができるので、それに伴って計量部の落とし口開閉手段も落とし口を本来の開放状態まで開放した位置に戻されて、当該計量空間に本来の嵩（かさ）通りの米が落ち、また、計量アジャスターを取出しレバー又はレバー突出口に装着した状態では、該取出しレバーの初期位置への戻りがスペーサー部によって途中で阻止されるので、それに伴って計量部の落とし口開閉手段も落とし口を本来の開放状態まで開放した位置の手前で阻止され、それにより、当該計量空間に落ちる米の量が、落とし口を開放し切らない分少ない量になる。
【００１５】
従って、落とし口が開放し切らない状態での計量の量目が例えば無洗米の場合に適した量目になるようにスペーサー部の大きさを設定しておけば、計量アジャスターを装着したときは無洗米に適した量目での計量が行われ、計量アジャスターを装着しないときは一般の白米に適した量目での計量が行われることになる。特に、この請求項１や９における計量アジャスターは、取出しレバー又はレバー突出口に装着するものであるから、米収納室に米を収納した後でも装着できるので、装着の時機を選ばないで済む。
【００１６】
尚、これら請求項１や９の発明におけるバネは、取出しレバーを直接付勢する形態で組み込んでも良いし、計量部の動作部材例えば計量マスを直接付勢する形態で組み込んでも良い。また、この計量アジャスターの装着手段としてはいろいろ考えられるが、取出しレバーの被操作部に装着するタイプとしては、例えば、当該被操作部に被さる主部と、スペーサー部と、取出しレバーに少なくとも下方から係合する弾性係止爪とをプラスチックで一体に形成した形にすれば、所謂ワンタッチでの着脱を実現できる。また、レバー突出口に装着するタイプとしては、レバー突出口の縁を弾性的に挟むクリップ部と、取出しレバーの被操作部側へ向かって突出したスペーサー部とをプラスチックで一体に形成した形にすれば、これも所謂ワンタッチでの着脱を実現できる。
【００１７】
この他にも、本発明における計量アジャスターの形態としてはいろいろ考えられるが、請求項３から８に記載した計量米びつ又は請求項１０から１５に記載した計量米びつ用計量アジャスターのように、回転計量マスの計量空間内に着脱自在に装着される構造にすると、計量空間の有効容積そのものが当該計量アジャスターの体積分小さくなるので、より正確な量で目量を変更することができる。
請求項３に記載した計量米びつは、底部に落とし口が設けられた米収納室を有するキャビネットと、上記落とし口を通して落ちる米が一定量入る計量空間を有し、支持軸によって回転自在に支持され、開口を前記落とし口に向けることで該落とし口を全開状態にした計量位置とその開口をほぼ下方へ向けた投下位置との間を回転移動される回転計量マスと、この回転計量マスを操作する計量部操作手段と、前記キャビネットの落とし口と前記回転計量マスの開口を通して前記計量空間内に差し込まれ前記支持軸に係合した状態で回転計量マス内の計量空間内に収まると共に、前記落とし口と前記開口を通して摘み出されることにより、前記回転計量マスの計量空間内に着脱自在に装着し、装着した状態では、前記計量空間に入る米の量を減らす計量アジャスターとを備えたことを特徴とするものである。
請求項１０に記載した計量米びつ用計量アジャスターは、底部に落とし口が設けられた米収納室を有するキャビネットと、上記落とし口を通して落ちる米が一定量入る計量空間を有し、支持軸によって回転自在に支持され、開口を前記落とし口に向けることで該落とし口を全開状態にした計量位置とその開口をほぼ下方へ向けた投下位置との間を回転移動される回転計量マスと、この回転計量マスを操作する計量部操作手段とを備えた計量米びつ用の計量アジャスターであって、一体に形成された構造体であり、前記キャビネットの落とし口と前記回転計量マスの開口を通して前記計量空間内に差し込まれ前記支持軸に係合した状態で回転計量マス内の計量空間内に収まると共に、前記落とし口と前記開口を通して摘み出されることにより、前記回転計量マスの計量空間内に着脱自在に装着し、装着した状態では、前記計量空間に入る米の量を減らすことを特徴とするものである。
【００１８】
請求項３から８と請求項１０から１５の発明は、回転計量マスの構造が、落とし口や投下口を通して計量アジャスターを計量空間に着脱できる構造であれば殆どの米びつに適用でき、また、請求項１と請求項９の発明は、計量部と連動する取出しレバーを備えたタイプであれば、計量部の構造の違いに関わらず大部分の米びつに適用することができる。例えば、請求項２に記載した計量米びつのように、計量部が、開口を前記落とし口に向けることで該落とし口をほぼ全開状態にした計量位置とその開口をほぼ下方へ向けた投下位置との間を移動される計量マスで構成されているものであれば、何ら問題なく本発明を適用することができる。
【００１９】
【発明の実施の形態】
以下に、本発明の実施の形態を図面に従って説明する。
〔Ａ．計量米びつの本体部〕（図１〜図５）
先ず、計量米びつ１の本体部を説明する。
ここに示す計量米びつ１は、計量部を構成する落とし口開閉手段や投下口開閉手段等を１個の計量マスが兼ねた構造のものである。
【００２０】
〔Ａ−１．キャビネット〕（図１、図３等）
３は、計量米びつ１のキャビネットを示し、その内部は仕切板４によって上側の米収納室５と下側の取出し室６とに区分され、前面壁７（図１における右下方へ向かう方向を前側とし、左下方へ向かう方向を左側とする。）は米収納室５に対応した部分だけに設けられていて、取出し室６は前面が開口している。
前面壁７の下端寄り位置において縦長長方形状を為す部分は、米収納室５内に突出するようにある程度深く窪んだ形の凹部８になっていて、この凹部８の奥壁に横長矩形のレバー突出口８ａが形成されている。
取出し室６には、上面が開口した箱形を為す取出しケース９が出し入れ自在に収納され、米収納室５内の米は、後述する回転計量マスで計量された量ごとに取出しケース９に取り出される。
【００２１】
〔Ａ−２．仕切板と落とし口〕（図１〜図３、図５等）
仕切板４は、その前後方向における中間より多少前寄りの部分に底頂部１１があり、この底頂部１１の左右方向における中間部が落とし口１１ａになっている。
底頂部１１の前後両端からは互いに平行な計量マス支持壁１５と１６が下垂状に突出しており、この計量マス支持壁１５と１６に渡る形で、計量補助壁１８とストッパー１９が設けられている。計量補助壁１８は、後述する回転計量マスと協働して計量空間を画する部位であって、前後方向へ延びるほぼ横倒樋形をしており、その上端が落とし口１１ａの左側縁に連続すると共に、その円弧は、計量マス支持壁１５、１６に形成された軸支持孔１５ａ、１６ａを中心とする円弧になっていて、下端は軸支持孔１５ａ、１６ａの真下より多少左側のところで終わっている。
ストッパー１９は、落とし口１１ａの右側縁に下から沿うように延びている。
【００２２】
また、仕切板４の前側の部分からは、互いに平行に対向するレバー支持壁２１が下垂状に突出しており、これらレバー支持壁２１に掛け渡す形でレバー支持軸２２が水平姿勢で取り付けられている。
【００２３】
〔Ａ−３．回転計量マス〕（図１〜図３、図５等）
３１は回転計量マスを示す。この回転計量マス３１は、前後両面が閉じられた横長の概ね円筒形をしており、その周壁３３は、横断面がほぼＣ字形を為すことで周面の一部に開口３９が設けられている。
周壁３３は、これを前側からの横断面で見て（図５参照）、その一端３３ａから時計回り方向へ中心角ほぼ１６０゜くらい延びた範囲においては円弧形に延びているが、他端部３３ｂはほぼ平板状に形成されて内側へ屈曲しており、この他端部３３ｂの先端に、前後方向へ延びる細幅シート状のスィーパー３５が取り付けられている。
回転計量マス３１には、その前板の中心部に後へ向かって突出した円形の突部３４が形成されると共に、この突部３４には前面が開口した横断面正方形の結合穴３４ａが形成され、また、前板と後板の外周縁から突出する形で計量位置ストップ爪３７と投下位置ストップ爪３８が設けられている。
【００２４】
４１は計量マス支持軸を示し、その前端部に傘歯車４３が取り付けられる。該傘歯車４３には、その円錐の底面部から後側へ突出したボス４４が一体に形成されており、該ボス４４の後半部は横断面正方形状の結合部４４ａになっている。
回転計量マス３１は、この傘歯車４３のボス４４と計量マス支持軸４１を介して前記計量マス支持壁１５、１６に回転自在に支持される。すなわち、回転計量マス３１を前記した計量マス支持壁１５と１６との間に置いた状態で、該回転計量マス３１の前後の壁の中心部に形成されている通し孔と支持壁１５、１６の軸支持孔１５ａ、１６ａに計量マス支持軸４１を通し、この計量マス支持軸４１の前端部を傘歯車４３及びボス４４の通し孔に通すと共に該ボス４４の結合部４４ａを回転計量マス３１の結合穴３４ａに嵌め込む。
【００２５】
これによって、回転計量マス３１が、傘歯車４３と一体的に回転する状態で、落とし口１１ａの下に回転自在となるように配置さる。
回転計量マス３１の回転範囲は、図５に実線で示すように、計量位置ストップ爪３７が計量補助壁１８の下端に当接した計量位置と、同図に二点鎖線で示すように投下位置ストップ爪３８が前記ストッパー１９に当接した投下位置との間に規制される。
【００２６】
回転計量マス３１が計量位置に来ている状態では、図５を見て分かるように、その周壁３３の一端３３ａと落とし口１１ａの右側縁との位置が揃うと共に、スィーパー３５は計量補助壁１８の内周面の中間部より稍下の位置に近接又は軽く接触している。従って、この状態では、回転計量マス３１の開口３９の一部が落とし口１１ａの全体に向かうことで該落とし口１１ａが全開放されると共に、この落とし口１１ａ以外が回転計量マス３１と計量補助壁１８とで閉じられた略円筒形の計量空間４６（図５、図９参照）が画成される。
従って、米収納室５に米が残っている場合は、回転計量マス３１が計量位置に来たとき、その米が計量空間４６に落ちる。
計量空間４６の容量は、約１合（１８０ｃｃ）になるように各部のサイズが設定されている。
【００２７】
また、回転計量マス３１が計量位置から投下位置へ向けて回転して行くと、その周璧３３が落とし口１１ａを閉じて行って、その一端３３ａが落とし口１１ａの左側縁と揃ったところで落とし口１１ａが完全に閉鎖され、これとほぼ同時にスイーパー３５の先端が計量補助壁１８の下端から外れて行く。従って、計量空間４６に米が入っている場合は、この時点から米の投下が開始する。そして、回転計量マス３１が投下位置に到達した状態では、スィーパー３５が計量補助壁１８の下端から右側へ大きく離れて、回転計量マス３１の開口３９が落とし口１１ａとほぼ同じ大きさで下を向くので、計量空間４６に入っていた米が完全に前記取出しケース９内に投下される。
【００２８】
〔Ａ−４．取出しレバー〕（図１〜図３、図７、図８）
５１は取出しレバーを示す。該取出しレバー５１は、回転計量マス３１を回転させるためのもので、被操作部５３と連動腕５４と円筒形の支点ボス５５等がプラスチックで一体に形成された構造になっている。
被操作部５３は薄い箱形をしており、その右側壁後端から連動腕５４が後ろ側へ突出し、該連動腕５４の中間部からは円柱状をした支点ボス５５が左方へ水平に突出し、連動腕５４の後端部左側面には左方から見て扇形をしたギア部５６が形成されている。このギア部５６の歯は、支点ボス５５の軸心を中心とした円弧上に配列されている。
被操作部５３の背面壁の下部はその余の部分よりある程度下へ延びて隠しフラップ５３ａを構成し、また、被操作部５３の上面部後端からは上やや斜め後側へ傾斜した姿勢の別の隠しフラップ５３ｂが延びている。
【００２９】
このような取出しレバー５１は、その支点ボス５５に前記レバー支持軸２２が挿通されることで、該レバー支持軸２２に回動自在に支持されると共に、そのギア部５６が傘歯車４３に右側から噛合する。これにより、回転計量マス３１と取出しレバー５１とが相互に連動するように結合され、従って、取出しレバー５１の回動範囲は、回転計量マス３１の回転範囲で規制される。即ち、取出しレバー５１の回動範囲は、回転計量マス３１が計量位置に来たときの位置である初期位置と、回転計量マス３１が投下位置に来たときの位置である押下げ完了位置との間に規制される。この初期位置は図３に実線で示すように被操作部５３が水平より多少前上がりに傾斜した姿勢になった位置であり、押下げ完了位置は同図に二点鎖線で示すように被操作部５３が水平より多少前下がりに傾斜した姿勢になった位置である。
【００３０】
そして、取出しレバー５１にはトーションバネ５８によって左方から見た反時計回り方向への回動力が付勢される。従って、この取出しレバー５１を時計回り方向へ押さない限り、該レバー５１は常時初期位置に保持され、これに伴なって回転計量マス３１が計量位置に保持される。また、その状態から取出しレバー５１を下方へ押すと、それに伴なって回転計量マス３１が投下位置へ向けて回転され、これが投下位置に到達するのと同時に取出しレバー５１が押下げ完了位置に到達してそれより下への回動を阻止される。
【００３１】
しかして、前記計量空間４６に米が入っている状態で取出しレバー５１を押し下げるとその米が取出しケース９に投下され、この状態から取出しレバー５１に対する押し下げを解除すると、該取出しレバー５１が初期位置に戻されると共に回転計量マス３１が計量位置に戻されて落とし口１１ａが全開になる。
【００３２】
取出しレバー５１の被操作部５３のほぼ全体はレバー突出口８ａから前方へ突出する。
キャビネット３のレバー突出口８ａは、取出しレバー５１の上記した動きを許容するために上下方向では被操作部５３の丈よりある程度大きくなっていて、被操作部５３より下側又は上側にある程度の隙間ができるが、この隙間は、取出しレバー５１が有する隠しフラップ５３ａ、５３ｂで後から隠される。
この隙間は、図３を見て分かるように、取出しレバー５１が初期位置に来ている状態では、被操作部５３の上側にも幅ｗ分残される。
【００３３】
〔Ｂ．計量アジャスターの第一の形態〕（図６〜図８）
６１は第一の形態に係る計量アジャスターを示す。この計量アジャスター６１は、必要に応じて取出しレバー５１に装着して使用するものであって、主部６２と、スペーサー突部６３と、引掛け爪６４及び係止爪６５がプラスチックで一体に形成された構造になっている。
【００３４】
主部６２は、下面と背面が開口した箱形に形成されていて、取出しレバー５１の被操作部５３のほぼ前半部にぴったり被せることができる大きさになっており、その上面部後端から後ろへ水平に延びた部分の大部分は、その余の部分に対して上へ盛り上がった高台のような形をしたスペーサー突部６３になっている。このスペーサー突部６３の丈Ｈ（図６参照）は、前記隙間ｗの２倍程度になっている。
そして、このスペーサー突部６３の後側には、側方から見て逆さＶ字形を為す引掛け爪６４が形成され、主部６２の左右両側壁の中間部下端からは、小さな係止爪６５が互いに内側へ向けて突出している。主部６２の左右両側壁は、係止爪６５の上側にある部位に肉盗みのための窓を形成することで、比較的容易に左右方向へ撓むことができるようにしてある。
【００３５】
この計量アジャスター６１は、図７及び図８に示すように取出しレバー５１に装着される。即ち、引掛け爪６４を取出しレバー５１の上側の隠しフラップ５３ｂに引っ掛けながら、主部６２を被操作部５３に被せるように多少強く下に押すと、係止爪６５が被操作部５３の側壁にこれを下から抱えるように係合する。これによって、計量アジャスター６１が、取出しレバー５１の被操作部５３に取り付けられる。
尚、この取り付けは、取出しレバー５１を押下げ完了位置に押し下げた状態で行えば、前面壁７を取り外さなくてもできる。
【００３６】
このようにして計量アジャスター６１が装着された状態では、取出しレバー５１を押さなくても、回転計量マス３１の計量位置が図９に示すように多少ずれて、落とし口１１ａが３分の１程度開き残された状態になる。すなわち、取出しレバー５１に計量アジャスター６１を装着すると、図８に示すように、そのスペーサー突部６３が取出しレバー５１の被操作部５３とレバー突出口８ａの上側縁との間に位置するので、取出しレバー５１が初期位置に向かって戻る際は、これが初期位置に到達する前にスペーサー突部６３がレバー突出口８ａの上側縁に当接して、それ以上の動きを阻止される。取出しレバー５１がこのように阻止される位置は、本来の初期位置まで前記した隙間ｗと同程度の距離を残した位置である。従ってこの場合は、回転計量マス３１も本来の計量位置まで戻ることを阻止され、図９に示すように、周壁３３が落とし口１１ａを３分の１ほど開き残した補正計量位置で待機することになる。
【００３７】
〔Ｃ．計量アジャスターの第二の形態〕（図１０〜図１３）
７１は、第二の形態に係る計量アジャスターを示す。この計量アジャスター７１は、必要に応じて回転計量マス３１の中に装着して使用するものであって、主部７２と、２つの取付腕７３、７３′等がプラスチックで一体に形成された構造になっている。
【００３８】
主部７２は、前後方向に長い帯板状を為し、その横断面は円弧形に屈曲しており、この円弧の曲率は、回転計量マス３１の周壁３３のうち円弧状をした部分の内周面の曲率とほぼ同じになっている。前後方向の長さは回転計量マス３１の前後の壁どうしの間隔とほぼ等しい。
この主部７２の膨らんだ方の面における中央部には、前後方向へ延びる極く小さな突条７２ａが設けられており、この突条７２ａの横断面は二等辺三角形状をしている。
この突条７２ａの前後両脇に、矩形をした指掛け孔７２ｂが形成されている。
【００３９】
２つの取付腕７３、７３′は、いずれも幅広なくの字状に屈曲した平板に形成されており、主部７２の前後両端から互いに平行に突出し、くの字の屈曲部辺りの側縁に半円形の切欠７３ａ、７３′ａが形成されている。これら切欠７３ａと７３′ａの中心は互いに同軸上にあり、前側の取付腕７３の切欠７３ａは回転計量マス３１の前記突部３４の外径とほぼ同じ大きさの径で形成され、後側の取付腕７３′の切欠７３′ａは前記計量マス支持軸４１の太さとほぼ同じ大きさの径で形成されている。
【００４０】
この計量アジャスター７１は、図１１及び図１２に示すように回転計量マス３１の中に装着される。即ち、図１１に二点鎖線で示すように、指掛け孔７２ｂに指先を掛けてこの計量アジャスター７１を掴み、これを落とし口１１ａを通して回転計量マス３１の中に差し込むと、取付腕７３、７３′が回転計量マス３１の前後の壁に各別に重なると共に、後側の切欠７３′ａが計量マス支持軸４１に、前側の切欠７３ａが突部３４にそれぞれ係合し、この係合と同時に主部７２の膨らんだ方の面が、回転計量マス３１の周壁３３の円弧の延長上又はそれより僅かに中に入ったところに位置する。この状態から、指掛け孔７２ｂの側縁や主部７２の側縁を右側へ押してやると、この計量アジャスター７１が計量マス支持軸４１を中心にして回転し、その主部７２が図１１に実線で示すように周壁３３に内側から重なるように収まる。
【００４１】
この回転は、主部７２の左側縁が周壁３３の一端３３ａと揃うところまで行う。このとき、突条７２ａが周壁３３の内周面によって相対的に押圧されることで該周壁３３に圧着する。これにより、計量アジャスター７１が、回転計量マス３１の周壁３３と支持軸４１との間に圧入された形で装着される。
【００４２】
このようにして計量アジャスター７１が装着された状態では、前記計量空間４６の有効容積が、計量アジャスター７１の体積分減少する。計量アジャスター７１の体積は、計量空間４６の有効容積が元の容積よりほぼ５％減少する大きさに設計されている。
従って、この計量アジャスター７１を装着した場合は、装着してない状態と較べて、５％少ない米が計量されることになる。
【００４３】
〔Ｄ．使用方法等〕
次に、計量米びつ１と計量アジャスター６１、７１の使用方法等を説明する。
〔Ｄ−１．通常米の計量〕（図５）
米収納室５に無洗米で無い米が収納されている場合は、計量アジャスター６１、７１をいずれも装着しないままで使用する。従ってこの場合は、取出しレバー５１が押されていない状態では回転計量マス３１が本来の計量位置で待機するので、計量空間４６には図５に示すように丁度１合分の米が収まり、この量の米が、取出しレバー５１を押し下げる度に取出しケース９に取り出される。
【００４４】
〔Ｄ−２．無洗米の計量〕
米収納室５に無洗米を収納する場合は、計量アジャスター６１又は７１を装着して使用する。計量アジャスター６１の装着は米収納室５に米を収納した後でも良いが、計量アジャスター７１は、米を収納する前に装着する。
【００４５】
〔Ｄ−２−ａ．第一の計量アジャスターを使用する場合〕（図８、図９）
計量アジャスター６１を装着した場合は、前記したように、回転計量マス３１が計量位置へ向けて戻る際、落とし口１１ａを３分の１程度開き残した補正計量位置で止められるので、図９に示すように、その開き残されている部分の直ぐ下には米が落ち難くなって、ここに必然的に空き７１が生じる。
計量アジャスター６１のスペーサー突部６３の丈Ｈは、空き７１の容量が計量空間４６の概ね５％になるように設定してある。
【００４６】
従って、計量アジャスター６１を装着した場合、計量空間４６には、１合に５％程度足りない量の米が落ちることになり、この量の米が、取出しレバー５１を押し下げる度に取出しケース９に取り出される。
しかして、無洗米を収納している場合に、計量アジャスター６１を使用すれば、量としては１合より５％程度少ないが、重さとしては１合分有る量の米が自動的に計量されて取り出されるので、水加減は、無洗米で無い米の場合と同じ目安で考えれば済む。
【００４７】
〔Ｄ−２−ｂ．第二の計量アジャスターを使用する場合〕（図１１、図１３）
計量アジャスター７１を装着した場合は、前記したように、前記計量空間４６の有効容積が、計量アジャスター７１の体積分減少するので、これを装着してない状態と較べて、回転計量マス３１では５％少ない米が計量され、この量の米が取出しレバー５１を操作する度に取出しケース９に投下される。従って、この場合も、水加減は、無洗米で無い米の場合と同じ目安で考えれば済む。
【００４８】
尚、装着した計量アジャスター７１を取り外すときは、図１３に示すように、落とし口１１ａから指先や箸等を差し込んで取付腕７３、７３′の下端部７３ｂ、７３′ｂを下へ押してやれば、計量アジャスター７１が回転してその主部７２が半分程度落とし口１１ａに出てくるので、これを更に回転させてから摘み出せば良い。
【００４９】
以上、本発明の実施の形態を説明したが、本発明の具体的構成がこの実施の形態に限定されるものでは無く、本発明の要旨から外れない範囲での設計変更等があっても本発明に含まれる。
特に、本発明を適用できる計量部の構造が実施の形態に示したものに限られることは無い。
また、計量アジャスターについては、スペーサー部の大きさを異にする複数種用意して、それぞれ異なる目量での計量ができるようにすることも考えられる。
【００５０】
【発明の効果】
以上のように、本発明によれば、計量米びつの本体構造については特別の処置を加えなくても、また、従来の白米に対応した計量を行うように構成されている既存の計量米びつについても、当該米びつの計量部による計量の量目を変更することができて、米の種類に応じた適切な計量を行わせることができる。
【図面の簡単な説明】
【図１】本発明の実施の形態に係る計量米びつの本体を、一部切り欠いて示す斜視図である。
【図２】図１に示す計量米びつの計量部等を拡大した斜視図である。
【図３】図２のＡ−Ａ線に沿って切断した断面図である。
【図４】図１に示す計量米びつの回転計量マスを拡大した斜視図である。
【図５】図３のＢ−Ｂ線に沿って切断した断面図である。
【図６】図１の計量米びつに付属する計量アジャスターの第一の形態を示す斜視図である。
【図７】図１の計量米びつが備えている取出しレバーに図６の計量アジャスターを装着した状態を示す斜視図である。
【図８】図６の計量アジャスターを装着した状態における計量米びつの要部垂直断面図である。
【図９】図８のＣ−Ｃ線に沿って切断した断面図である。
【図１０】図１の計量米びつに付属する計量アジャスターの第二の形態を示す斜視図である。
【図１１】図１０の計量アジャスターを装着した状態における計量米びつの要部垂直断面図である。
【図１２】図１１のＤ−Ｄ線に沿って切断した断面図である。
【図１３】図１０の計量アジャスターの外し方を説明するための図である。
【符号の説明】
１…計量米びつ    ３…キャビネット    ４…底部    ５…米収納室
８ａ…レバー突出口    １１ａ…落とし口
３１…計量部（落とし口開閉手段、投下口を開閉する手段）、計量マス
３３…周壁    ３９…開口（投下口）    ４１…支持軸    ４６…計量空間
５１…計量部操作手段（取出しレバー）    ５３…被操作部    ５８…バネ
６１…計量アジャスター    ６２…主部    ６３…スペーサー部
６５…弾性係止爪    ７１…計量アジャスター
【図１】
0003914419.tif 000002
【図２】
0003914419.tif 000003
【図３】
0003914419.tif 000004
【図４】
0003914419.tif 000005
【図５】
0003914419.tif 000006
【図６】
0003914419.tif 000007
【図７】
0003914419.tif 000008
【図８】
0003914419.tif 000009
【図９】
0003914419.tif 000010
【図１０】
0003914419.tif 000011
【図１１】
0003914419.tif 000012
【図１２】
0003914419.tif 000013
【図１３】
0003914419.tif 000014